(57)【要約】【課題】天井に設置され、直接風による体感温度の低下や、室内の温度ムラを減少させるために使用される天井扇において、吹き出し方向を限定することで、吸い込みの風速を変化させずに、床まで風を到達させることができる天井扇を提供することを目的とする。【解決手段】羽根５の外周に羽根の回転円と同心円の接線に風向限定板６が可動用電動機７を備えている。逆回転時は、天井下方より空気を吸い込み、天井と平行方向へ風を送る。その際、風向限定板６があることで、風向限定板６がある部分では、天井と平行方向への風の吹き出しが阻害され、風向限定板６のない部分から天井と平行方向へ風を吹き出すことで、吹き出しの風速を増加させ、風の到達距離を伸ばすことができ、また、吹き出し部分での風向を変更しているだけなので、吸い込みの風速を変化させることがないため、吸い込みの風による体温の低下を軽減しながら、室内の温度ムラを改善できる。【選択図】図１
2011085037.tif 000002
【特許請求の範囲】
【請求項１】
天井に設置した送風機により、夏は天井と平行方向から吸い込み、下方に吹き出し、冬は、下方から吸い込み、天井と平行方向に吹き出す天井扇において、天井と平行方向へ吹き出す際の風向を限定する風向限定手段を備えた天井扇。
【請求項２】
送風機は軸流ファンである請求項１記載の天井扇。
【請求項３】
送風機は遠心ファンである請求項１記載の天井扇。
【請求項４】
風向限定手段は、前記送風機の外周に複数枚の風向限定静翼であることを特徴とした請求項１から３いずれか１項に記載の天井扇。
【請求項５】
風向限定静翼は、設置位置を変更することができ、風向を限定する箇所を選択できる請求項４記載の天井扇。
【請求項６】
風向限定手段は、前記送風機の外周に円筒状の板に複数箇所スリットを入れた風向限定円筒であることを特徴とした請求項１から３いずれか１項に記載の天井扇。
【請求項７】
風向限定円筒は、回転することができ、風向を限定する箇所を選択できる請求項６記載の天井扇。
【請求項８】
風向限定手段は、前記送風機の外周に円筒状の板にスリットを入れることで吹き出し口とし、このスリットと同じ幅のプレートにより、前記吹き出し口を塞ぐことにより風向を限定し、塞ぐ位置を変化させることで、風向を限定する箇所を選択できる請求項１から３のいずれか１項に記載の天井扇。
【請求項９】
人の位置を検知する人検知手段と、前記風向限定手段を制御する制御装置を備え、この制御装置は、前記人検知手段により検知した人の位置に風を出さないように前記風向限定手段を制御する請求項５または７または８記載の天井扇。
【請求項１０】
人検知手段は、赤外線センサを備え、人から放出される遠赤外線を検知して人の位置を判断する請求項９記載の天井扇。
【請求項１１】
人検知手段は、カメラを備え、人の動作を検知して人の位置を判断する請求項９記載の天井扇。
【請求項１２】
天井の温度を検知する天井温度検知手段と、床の温度を検知する床温度検知手段と、前記風向限定手段を制御する制御装置を備え、この制御装置は、前記天井温度検知手段の検知する温度と前記床温度検知手段の検知する温度の差により、前記風向限定手段を制御する請求項８記載の天井扇。       
【請求項１３】
天井温度検知手段と床温度検知手段は、異なる種類の２つの金属を備え、この２つの金属間の熱起電力の差を利用して温度を測る請求項１２記載の天井扇。
【請求項１４】
天井温度検知手段と床温度検知手段は、温度の変化に対し極めて大きな抵抗値変化を示す抵抗器を備え、この抵抗器の抵抗値により温度を測る請求項１２記載の天井扇。    
【請求項１５】
天井温度検知手段と床温度検知手段は、物体が放出する熱エネルギーを検知する放射温度計とする請求項１２記載の天井扇。
【請求項１６】
送風装置は、プロペラファンとこのプロペラファンの中心部にターボファンを備え、風向限定手段は前記プロペラファンの翼である請求項１記載の天井扇。
【発明の詳細な説明】
【技術分野】
【０００１】
本発明は、天井に設置され、吸い込みの風による体感温度の低下や室内空気を循環して室内の温度ムラを減少させるために使用される天井扇に関するものである。
【背景技術】
【０００２】
従来、この種の天井扇は、天井に吊り下げられたモータに複数枚のブレードを取り付けた天井扇が知られている。（例えば、特許文献１参照）。
【０００３】
以下、その天井扇について図１１を参照しながら説明する。
【０００４】
図１１に示すように、天井扇の本体１０１に電動機１０２が内蔵され、電動機１０２に羽根１０３が放射状に取り付けられている。
【０００５】
上記構成において、羽根１０３は回転軸を中心とする周方向に所定の角度を持って取り付けられており、電動機１０２により羽根１０３が回転すると、正回転では、羽根１０３の外周から下方に送風され、逆回転では、羽根１０３の下方から羽根１０３の外周に送風される。主に、夏季は正回転で直接風により体温を低下させ、冬季は逆回転で直接風による体感温度の低下をさけ、室内空気の循環を促し温度ムラを解消するように使用される。
【先行技術文献】
【特許文献】
【０００６】
【特許文献１】特開２００５−１５５５５８号公報（第９頁、第１図）
【発明の概要】
【発明が解決しようとする課題】
【０００７】
このような従来の天井扇では、主に冬季、逆回転により、羽根１０３の下方から羽根１０３の外周に送風される際に、天井と壁に沿って床へと風が流れるので、吹き出し風が天井、壁との摩擦により減速されて、床まで到達せず、十分に室内の空気が循環されず、室内の温度ムラを解消できない。また、床まで到達するように風量を増加させて循環させると、吸い込みの風速が速くなり、吸い込みの風による体温の低下を招いてしまうという課題を有していた。
【０００８】
そこで本発明は、このような従来の課題を解決するものであり、吹き出し方向を限定することで、吸い込みの風速を上げずに、床まで風を到達させることができる天井扇を提供することを目的とする。
【課題を解決するための手段】
【０００９】
そして、この目的を達成するために、本発明は、天井に設置した送風機により、夏は天井と平行方向から吸い込み、下方に吹き出し、冬は、下方から吸い込み、天井と平行方向に吹き出す天井扇において、天井と平行方向へ吹き出す際の風向を限定する風向限定手段を備えた天井扇であり、これにより所期の目的を達成するものである。
【発明の効果】
【００１０】
本発明によれば、天井に設置した送風機により、夏は天井と平行方向から吸い込み、下方に吹き出し、冬は、下方から吸い込み、天井と平行方向に吹き出す天井扇において、天井と平行方向へ吹き出す際の風向を限定する風向限定手段を備えた構成にしたことにより、風向限定手段により吹き出し箇所を限定し、吹き出し風速を増加させることで、吸い込み風速を変化させずに、風の到達距離を伸ばすことができるため、吸い込みの風による体温の低下を軽減し、室内の温度ムラを改善することができる。
【図面の簡単な説明】
【００１１】
【図１】（ａ）本発明の実施の形態１の天井扇を示す斜視図、（ｂ）Ａ部の拡大図
【図２】同風向限定手段の位置を示す正面図
【図３】同風向限定手段の正回転時を示す斜視図
【図４】本発明の実施の形態２の天井扇を示す斜視図
【図５】同側面吹き出し時を示す斜視図
【図６】同下部吹き出し時を示す斜視図
【図７】本発明の実施の形態３の天井扇を示す斜視図
【図８】本発明の実施の形態４の天井扇を示す斜視図
【図９】本発明の実施の形態５の天井扇を示す斜視図
【図１０】本発明の実施の形態６の天井扇を示す斜視図
【図１１】従来の天井扇を示す斜視図
【発明を実施するための形態】
【００１２】
本発明の請求項１記載の天井扇は、天井に設置した送風機により、夏は天井と平行方向から吸い込み、下方に吹き出し、冬は、下方から吸い込み、天井と平行方向に吹き出す天井扇において、天井と平行方向へ吹き出す際の風向を限定する風向限定手段を備えた構成を有する。これにより、風向限定手段により吹き出し箇所を限定し、吹き出し風速を増加させることで、吸い込み風速を変化させずに、風の到達距離を伸ばすことができるため、吸い込みの風が当たることによる体温の低下を軽減し、室内の温度ムラを改善できるという効果を奏する。
【００１３】
また、送風機は軸流ファンにした構成にしてもよい。これにより、正回転で、下方に吹出し、逆回転で外周方向へ吹き出すことができ、逆回転時、風向限定手段により吹き出し箇所を限定して、吹き出し風速を増加させることで、吸い込み風速を変化させずに、風の到達距離を伸ばすことができるため、吸い込みの風が当たることによる体温の低下を軽減し、室内の温度ムラを改善できるという効果を奏する。
【００１４】
また、送風機は遠心ファンにした構成にしてもよい。これにより、遠心ファンの流路を形成することで、天井平行方向または、下方へ吹き出すことが可能で、下方に吹き出す際、風向限定手段により吹き出し箇所を限定して、吹き出し風速を増加させることで、吸い込み風速を変化させずに、風の到達距離を伸ばすことができるため、吸い込みの風が当たることによる体温の低下を軽減し、室内の温度ムラを改善できるという効果を奏する。
【００１５】
また、風向限定手段は、送風機の外周に複数枚の風向限定静翼であるという構成にしてもよい。これにより、風の軸方向成分を周方向成分に変換でき、さらに、吹き出し箇所を限定することで、吹き出し風速を増加させることができ、吸い込み風速を変化させずに、風の到達距離を伸ばすことができるため、吸い込みの風が当たることによる体温の低下を軽減し、室内の温度ムラを改善できるという効果を奏する。
【００１６】
また、風向限定静翼は、設置位置を変更することができ、風向を限定する箇所を選択できる構成にしてもよい。これにより、風向限定静翼の位置を変化させることで、直接風の方向を変化させることができ、壁に沿って下方に流れる際の障害物を回避することができるため、吸い込み風速を変化させずに、風の到達距離を伸ばすことができるため、吸い込みの風が当たることによる体温の低下を軽減し、室内の温度ムラを改善できるという効果を奏する。
【００１７】
また、風向限定手段は、送風機の外周に円筒状の板に複数箇所スリットを入れた風向限定円筒であるという構成にしてもよい。これにより、吹き出し箇所を限定し、吹き出し風速を増加させることで、吸い込み風速を変化させずに、風の到達距離を伸ばすことができるため、吸い込みの風が当たることによる体温の低下を軽減し、室内の温度ムラを改善できるという効果を奏する。
【００１８】
また、風向限定円筒は、回転することができ、風向を限定する箇所を選択できるという構成にしてもよい。これにより、風向限定円筒の位置を回転させることで、直接風の方向を変化させることができ、壁に沿って下方に流れる際の障害物を回避することができるため、吸い込み風速を変化させずに、風の到達距離を伸ばすことができるため、吸い込みの風が当たることによる体温の低下を軽減し、室内の温度ムラを改善できるという効果を奏する。
【００１９】
また、風向限定手段は、送風機の外周に円筒状の板にスリットを入れることで吹き出し口とし、このスリットと同じ幅のプレートにより、前記吹き出し口を塞ぐことにより風向を限定し、塞ぐ位置を変化させることで、風向を限定する箇所を選択できるという構成にしてもよい。これにより、吹き出し口を塞ぎ風向を変更することで、直接風の方向を変化させることができ、壁に沿って下方に流れる際の障害物を回避することができるため、吸い込みの風が当たることによる体温の低下を軽減し、室内の温度ムラを改善できるという効果を奏する。
【００２０】
また、人の位置を検知する人検知手段と、風向限定手段を制御する制御装置を備え、この制御装置により、人検知手段により検知した人位置に風を出さないように風向限定手段を制御するという構成にしてもよい。これにより、人のいない方向に風を吹き出すことで、直接風を人に当てないようにするため、直接風が当たることによる体温の低下を軽減するという効果を奏する。
【００２１】
また、人検知手段は、赤外線センサを備え、人から放出される遠赤外線を検知して人の位置を判断するという構成にしてもよい。これにより、赤外線センサにより人が放出する赤外線を検知して、人のいない方向に風を吹き出すことで、直接風を人に当てないようにするため、直接風が当たることによる体温の低下を軽減するという効果を奏する。
【００２２】
また、人検知手段は、カメラを備え、人の動作を検知して人の位置を判断するという構成にしてもよい。これにより、人の動作を検知して、人のいない方向に風を吹き出すことで、直接風を人に当てないようにするため、直接風が当たることによる体温の低下を軽減するという効果を奏する。
【００２３】
また、天井の温度を検知する天井温度検知手段と、床の温度を検知する床温度検知手段と、風向限定手段を制御する制御装置を備え、この制御装置により、天井温度検知手段の検知する温度と床温度検知手段の検知する温度の差により、風向限定手段を制御するという構成にしてもよい。これにより、天井と床との温度差を検知して、温度差が大きい場合、風向限定範囲を狭めることで、風速を増大させ、風の到達距離を伸ばすことができるため、室内の温度ムラを改善できるという効果を奏する。
【００２４】
また、天井温度検知手段と床温度検知手段は、異なる種類の２つの金属を備え、この２つの金属間の熱起電力の差を利用して温度を測るという構成にしてもよい。これにより、２つの金属間の熱起電力の差を測定して天井と床との温度差を検知して、風向限定範囲を狭めることで、風速を増大させ、風の到達距離を伸ばすことができるため、室内の温度ムラを改善できるという効果を奏する。
【００２５】
また、天井温度検知手段と床温度検知手段は、温度の変化に対し極めて大きな抵抗値変化を示す抵抗器を備え、この抵抗器の抵抗値により温度を測るという構成にしてもよい。これにより、抵抗値により温度を測定して天井と床との温度差を検知して、風向限定範囲を狭めることで、風速を増大させ、風の到達距離を伸ばすことができるため、室内の温度ムラを改善できるという効果を奏する。
【００２６】
また、天井温度検知手段と床温度検知手段は、物体が放出する熱エネルギーを検知する放射温度計とする構成にしてもよい。これにより、物体が放出する熱エネルギーを検知して温度を測定して天井と床との温度差を検知して、風向限定範囲を狭めることで、風速を増大させ、風の到達距離を伸ばすことができるため、室内の温度ムラを改善できるという効果を奏する。
【００２７】
また、送風装置は、プロペラファンと、このプロペラファンの中心部にターボファンを備え、風向限定手段はプロペラファンの翼であるという構成にしてもよい。これにより、風向限定手段により吹き出し箇所を限定し、吹き出し風速を増加させることで、吸い込み風速を変化させずに、風の到達距離を伸ばすことができるため、吸い込みの風が当たることによる体温の低下を軽減し、室内の温度ムラを改善できるという効果を奏する。
【００２８】
以下、本発明の実施の形態について図面を参照しながら説明する。
【００２９】
（実施の形態１）                    
図１〜図３に示すように、送風機１は、回転軸２と、回転軸２を中心に回転する電動機３と、電動機３を内包し電動機３と共に回転する回転部４と、回転部４に固定された４枚の羽根５を備え、回転部４は回転軸２により天井に固定されている。送風機１から天井と平行方向へ吹出された風の風向を限定する風向限定手段８は、羽根５の外周に羽根の回転円と同心円の接線方向に設けた風向限定板６と、風向限定板６を動かす可動用電動機７を備え、風向限定手段８はヒンジ９で天井に固定している。本発明の天井扇は上記の送風機１と風向限定手段８により構成される。
【００３０】
本実施の形態では、送風機１は軸流ファンであり、例えば回転部の外形を２００ｍｍ、羽根５の外径を９００ｍｍ、回転軸２の長さ５０ｍｍ、回転部４の高さ１００ｍｍ、羽根５の高さ３５ｍ、鉛直方向の天井から羽根５の下部までの距離は１３０ｍｍであり、風向限定板６は送風機から吹き出される風の周方向成分を考慮して、回転中心と同心円の接線に接するように設置することで、風向限定板６による摩擦を軽減するようにできるため、回転軸２を中心とする直径１２００ｍｍの円に接するように長さ６００ｍｍで、等間隔に設置している。
【００３１】
このように設置した場合が図２で、図２のθで表されている回転中心からの吹出口の角度θ＝４５°となる。例えば、θ＝４５°をθ＝３０°にした場合、吹出口は全周３６０°に対し１８０°から１２０°と狭まるので、風速が約４０％増大する。この風向限定板６の長さは、部屋の大きさ等により変えればよく、部屋が大きく天井と平行方向へ吹出された風が床面まで届かない場合、長さを長くして吹出口の角度θを小さくして、吹出しの風速を増大させればよい。
【００３２】
また、θ＝３０°以下では、吹出口が全周３６０°に対し１２０°以下となり、吹出口が狭くなりすぎ、抵抗となるため、また、θ＝４５°以上では、吹出口が広くなりすぎで、風速増大の効果が得られなくなるので、θの範囲は、３０°〜４５°が好ましい。風向限定板６の高さは、天井から羽根５の下部までの距離１３０ｍｍと同等の１３０ｍｍとすることで、風向限定板６により風向を変更でき、風向限定板６は厚さ１０〜３０ｍｍの樹脂材料が軽量で安全性の面からは望ましいが、アルミ等の金属なら風に対して剛性があり、より薄くでき、後述する正回転時の流路阻害をより小さくできる。
【００３３】
電動機３は直流モータであり、切替手段としての制御回路を備え、回転方向を切り替えることができる。正回転で空気が下方に送風されている際は、図３のように、可動用電動機７により、風向限定板６が天井と平行になり、送風機１の吸い込み流路を阻害しないようになる。風向限定手段８は、図１（ｂ）のように、可動用電動機７の回転軸と風向限定板回転軸１０が直結されており、可動用電動機７が回転することで、風向限定板６が風向限定板回転軸１０を中心に回転する構造になっている。
【００３４】
逆回転時は、天井下方より空気を吸い込み、天井と平行方向へ風を送る。その際、風向限定板６があることで、風向限定板６がある部分では、天井と平行方向への風の吹き出しが阻害され、阻害された風は、一部は下方向または風向限定板６を乗り越えるが、ほとんどが風向限定板６のない部分から天井と平行方向へ風を吹き出すことで、吹き出しの風速を増加させることができ、風の到達距離を伸ばすことができ、また、吹き出し部分での風向を変更しているだけなので、吸い込みの風速を増加させることがないため、吸い込みの風が当たることによる体温の低下を軽減しながら、室内の温度ムラを改善することができる。
【００３５】
なお、可動用電動機７がない場合も、風向限定板６を手動で動かすことができ、天井平行方向へ動かして固定具（図示せず）で固定すれば、その作用効果に差異を生じない。
【００３６】
（実施の形態２）          
図４〜６において、実施の形態１と同一の部分は同一符号を付し、その詳細な説明は省略する。
【００３７】
図４において、送風機１は遠心ファンであり、遠心ファンの外周に風向限定手段を備えたものである。本実施の形態では、遠心ファンとしてターボファン１１であり、風向限定手段として円筒の外周と下部にスリットが開いた形状をしており、吸い込み口は下部開口１２であり、吹出口は、下部吹出１３と側面吹出１４であり、天井に直接固定されている。例えば、ターボファン１１の外径を２００ｍｍ、ファン高さを８０ｍｍとすることで、風向限定手段である外周と、下部にスリットの開いた円筒の外径を２２０ｍｍ、高さ１００ｍｍとすることができ、吸い込み口である下部開口１２が天井から１００ｍｍの位置になる。
【００３８】
ターボファン１１の外径が増大すると、吹き出し風速は増加するが、ファン効率をよくするためには、ファン高さを外径に合わせて高くする必要があり、天井から下部開口１２までの距離が遠くなり、吸い込み口である下部開口１２が人に近づくことで、吸い込み口付近では風速が速いため、吸い込み風が人に当たることによる体温の低下につながり、また、ターボファン１１の外径を小さくすると、円筒の高さを低くできるが、吹き出し風速も低下し、室内の温度ムラを改善しにくくなる。
【００３９】
実際の使用において、主に冬に天井と平行方向へ吹き出す場合は、図５のように、円筒の内部に内蔵している下部吹出塞ぎプレート１５が下部吹出１３を塞ぐようにシャッター構造になっており、下部吹出１３を下部吹出塞ぎプレート１５で塞ぎ、空気の流れは、図５に示すように、下部開口１２より空気を吸い込み、側面吹出１４により吹き出す。また、主に夏に風を下方へ吹き出す場合は、図６のように、円筒の内部に内蔵している側面吹出塞ぎプレート１６が側面吹出１４を塞ぐようにシャッター構造になっており、側面吹出１４を側面吹出塞ぎプレート１６で塞ぎ、空気の流れは、図６に示すように、下部開口１２より空気を吸い込み下部吹出１３より吹き出す。天井と平行方向へ吹き出す場合、円筒の側面の側面吹出１４が４箇所あり、吹き出し方向を４箇所に限定することで、吹き出しの風速を増加させることができ、風の到達距離を伸ばすことができ、また、吹き出し部分での風向を限定しているだけなので、吸い込みの風速を変化させることがないため、吸い込みの風が当たることによる体温の低下を軽減しながら、室内の温度ムラを改善することができる。
【００４０】
（実施の形態３）
図７において、実施の形態１と同一の部分は同一符号を付し、その詳細な説明は省略する。
【００４１】
図７において、送風機１の外周に風向限定手段として風向限定静翼１７を備えている。風向限定静翼１７により、下方から吸い込み、天井と平行方向へ風を送る際の、送風機１から天井への軸流方向成分の流れを風向限定静翼１７を伝って流れることで、周方向成分に変換し、従来、天井に当たって抵抗になっていた流れを軽減して、効率よく風を送ることができる。
【００４２】
本実施の形態では、送風機１として軸流ファンを使用し、外径は９００ｍｍであり、回転軸２の高さは１５０ｍｍであり、風向限定静翼１７は、回転中心から３５０ｍｍの位置から６００ｍｍの長さ、高さ１５０ｍｍで、送風機１の羽根５が回転していても風向限定静翼１７が当たらず、羽根５と風向限定静翼１７が径方向に１００ｍｍ重なっていることで、羽根５からの軸流の流れを壁に衝突し抵抗になる前に径方向成分に変換することができる。風向限定静翼１７の取り付け構造は、回転軸２が天井に固定されており、取付手段１８により回転軸２に固定された風向限定手段回転用電動機１９に連結された構造になっている。風向限定手段回転用電動機１９が回転することで、風向限定静翼１７による風の吹き出し方向を変化させることができる。風向限定静翼１７の位置を変化させることで、直接風の方向を変化させることができ、壁に沿って下方に流れる際の障害物を回避することができ、また、吹き出し部分での風向を限定する位置を変化させているだけなので、吸い込みの風速を変化させることがないため、吸い込みの風が当たることによる体温の低下を軽減し、室内の温度ムラを改善することができる。
【００４３】
なお、風向限定手段回転用電動機１９がない場合も、手動で風向限定静翼１７を動かすことができ、その作用効果に差異を生じない。
【００４４】
（実施の形態４）
図８において、実施の形態１及び、実施の形態３と同一の部分は同一符号を付し、その詳細な説明は省略する。
【００４５】
図８において、送風機１の外周に風向限定手段として風向限定円筒２０を備えている。本実施の形態では、送風機１として軸流ファンであり、風向限定円筒２０は、円筒の側面に４箇所スリットがあり、天井と平行方向へ吹き出す際にスリットのある部分からのみ風を吹き出す形状になっている。例えば、軸流ファンの外径９００ｍｍ、高さ１３０ｍｍの場合、風向限定円筒２０の外径１２００ｍｍ、高さ１５０ｍｍとすることで、軸流ファンと風向限定円筒２０との距離をとりながら、風向限定円筒２０の外径を小さくすることができる。風向限定円筒２０の外径を大きくすると、天井の摩擦により風速が低下し、風向限定円筒２０での吹き出し風速増加の効果が減少し、また、風向限定円筒２０の外径が小さくなると軸流ファンとの距離が近くなり、異音が増大する。風向限定円筒２０の取り付け構造は、回転軸２が天井に固定されており、取付手段１８により回転軸２に固定された風向限定手段回転用電動機１９に連結された構造になっている。円筒の側面に４箇所スリットがあり天井と平行方向へ吹き出す際にスリットのある部分からのみ風を吹き出す風向限定円筒２０が取付手段１８により回転軸２に固定された風向限定手段回転用電動機１９と連結された構造になっている。風向限定手段回転用電動機１９が回転することで、風向限定円筒２０による風の吹き出し方向を変化させることができる。風向限定円筒２０の吹き出し位置を変化させることで、直接風の方向を変化させることができ、壁に沿って下方に流れる際の障害物を回避することができ、吹き出し位置を変化させているだけなので、吸い込み風速は変化せず、吸い込みの風が当たることによる体温の低下を軽減し、室内の温度ムラを改善することができる。
【００４６】
なお、風向限定手段回転用電動機１９がない場合も、手動で風向限定円筒２０を動かすことができ、その作用効果に差異を生じない。
【００４７】
（実施の形態５）
図９において、実施の形態１と同一の部分は同一符号を付し、その詳細な説明は省略する。
【００４８】
図９（ａ）において、送風機１の外周に風向限定手段として風向変更限定円筒２１と、電動機３の先端に人検知手段２４を備えている。本実施の形態では、円筒の側面に８箇所スリットがあり、各スリットはスリット幅と同じ幅のプレート２２がプレート可動用電動機２３により可動し、天井と平行方向へ吹き出す際にプレート２２で塞がれていないスリットの部分からのみ風を吹き出す。例えば、軸流ファンの外径９００ｍｍ、高さ１３０ｍｍの場合、風向変更限定円筒２１の外径１２００ｍｍ、高さ１５０ｍｍとすることで、軸流ファンと風向変更限定円筒２１との距離をとりつつ、風向変更限定円筒２１の外径を小さくすることができる。風向変更限定円筒２１に８箇所スリットが開いていることで、８方向に風を吹き出すことができ、また、風向変更限定円筒２１のスリットの８箇所のスリットの塞ぐ箇所を１箇所から７箇所まで選択でき、４５°刻みの風向設定が可能となる。選択的に風向を選べることで、風速を増加したい部分のみから風を吹出すことが可能で、また、風を吹出す箇所を少なくすることで、風速を増大させることができる、例えば、８箇所からの吹出しを４箇所に減少させた場合、約４０％風速を増大させることができる。
【００４９】
人検知手段２４により、人を検知し、人のいる方向へ吹き出している風向変更限定円筒２１のスリットをプレート２２で塞ぎ、人のいない方向に風を吹き出すことで、直接風を人に当てないようにし、直接風が当たることによる体温の低下を軽減し、室内の温度ムラを改善することができる。
【００５０】
図９（ｂ）において、送風機１の外周に風向限定手段として風向変更限定円筒２１と、電動機３の先端に天井温度検知手段２５と床温度検知手段として温度センサを内蔵したリモコン２６により、天井の温度と床の温度差がある場合、より風を床に到達させるために、風向変更限定円筒２１のスリットをプレート２２で塞ぐ箇所を増やし、温度ムラの改善を促進させることができ、吹き出し箇所を限定しているだけなので、吸い込み風速は変化せず、吸い込みの風が当たることによる体温の低下を軽減することができる。
【００５１】
なお、人検知手段２４、天井温度検知手段２５、床温度検知手段がない場合は、風向変更限定円筒２１とプレート２２で、吹き出し箇所を限定し、吹き出しの風速を増加させることができ、風の到達距離を伸ばすことが可能であり、また、吹き出し部分での風向を限定しているだけなので、吸い込みの風速を変化させることがないため、吸い込みの風が当たることによる体温の低下を軽減しながら、室内の温度ムラを改善することができる。
【００５２】
（実施の形態６）
図１０において、実施の形態１と同一の部分は同一符号を付し、その詳細な説明は省略する。
【００５３】
図１０において、回転部４の内部にターボファン２７を内蔵し軸流ファンの羽根の根元に吹出口２８を備える。下方に吹き出す時は、軸流ファンが回転することで、軸流ファンの羽根の昇圧作用により、天井と平行方向から吸い込み、下方へと風を送る、その際、ターボファン２７の回転は停止し、軸流ファンの送風作用を妨げない構造になっている。
【００５４】
本実施の形態では、軸流ファンの外径９００ｍｍ、高さ１３０ｍｍで、ターボファン２７の外径２００ｍｍ、高さ８０ｍｍであり、吹出口２８は羽根根元に□５０ｍｍで開いている。ターボファン２７の外径が増大すると、吹き出し風速は増加するが、ファン効率のよくするためには、ファン高さを外径に合わせて高くする必要があり、天井からターボファン２７の下部までの距離が遠くなり、人にターボファン２７の吸い込みが近づくことで、吸い込み口付近では風速が速いため、吸い込み風が人に当たることによる体温の低下につながり、また、ターボファン２７の外径を小さくすると、ターボファン２７の高さを低くできるが、吹き出し風速も低下し、室内の温度ムラを改善しにくくなる。天井と平行方向へ風を送る時は、軸流ファンの回転は停止し、風向限定手段として軸流ファンの羽根５を利用し、ターボファン２７が回転することで、ターボファン２７の下部の吸い込み口から空気を吸い込み、吹出口２８から風を吹出し、その風が羽根５にあたり、羽根５に沿って流れることで、風向を限定し、ターボファン２７の外周面全体に風を出すよりも、吹き出し風速を増加させることができ、吹き出し箇所を限定しているだけなので、吸い込み風速を変化させずに、風の到達距離を伸ばすことができるため、吸い込みの風にが当たることによる体温の低下を軽減し、室内温度のムラを改善することができる。
【産業上の利用可能性】
【００５５】
本発明にかかる天井扇は、吸い込みの風速を変化させずに、床まで風を到達させることができるため、天井扇または、サーキュレーターに適応できる。
【符号の説明】
【００５６】
１    送風機    
２    回転軸    
３    電動機
４    回転部        
５    羽根        
６    風向限定板
７    可動用電動機
８    風向限定手段
９    ヒンジ
１０  風向限定板回転軸
１１  ターボファン
１２  下部開口          
１３  下部吹出          
１４  側面吹出
１５  下部吹出塞ぎプレート
１６  側面吹出塞ぎプレート
１７  風向限定静翼
１８  取付手段          
１９  風向限定手段回転用電動機
２０  風向限定円筒
２１  風向変更限定円筒
２２  プレート
２３  プレート可動用電動機
２４  人検知手段
２５  天井温度検知手段
２６  リモコン
２７  ターボファン
２８  吹出口
【図１】
2011085037.tif 000003
【図２】
2011085037.tif 000004
【図３】
2011085037.tif 000005
【図４】
2011085037.tif 000006
【図５】
2011085037.tif 000007
【図６】
2011085037.tif 000008
【図７】
2011085037.tif 000009
【図８】
2011085037.tif 000010
【図９】
2011085037.tif 000011
【図１０】
2011085037.tif 000012
【図１１】
2011085037.tif 000013